(57)【特許請求の範囲】
【請求項１】
ベースに設けた前後方向を向く左右１対のベース側ガイドレールに沿って、汚物処理槽をベースから前方に引出し可能とした汚物処理装置より、前記汚物処理槽を移載して、搬送する汚物処理槽搬送車であって、
車輪を有する台車と、
前記台車を汚物処理装置の前方における正規の移載位置に位置させたとき、汚物処理装置における前記各ベース側ガイドレールの前端より一直線状に整合するようにして、前記台車に設けられた左右１対の台車側ガイドレールと、
前記台車側ガイドレールの後端部の高さが、前記ベース側ガイドレールの前端部の高さと一致するべく、前記台車の後端部の高さを調整する高さ調整手段と、
前記台車の後端部に設けられ、前記ベースの一部に左右方向より当接することにより、前記台車側ガイドレールの後端部が、前記ベース側ガイドレールの前端部と左右方向に整合するべく、前記台車の後端部を、前記ベースの前端部に対して左右方向に位置決めする位置決め手段
とを備えることを特徴とする汚物処理槽搬送車。
【請求項２】
台車を、左右１対の車輪を有する２輪車とし、かつ高さ調整手段を、前記台車の側面に固着したブラケットと、
前記ブラケットに上下動可能として装着され、かつ下端に接地部材を有する支持脚と、
上下方向に回動可能として、一端が前記ブラケットに係止され、かつ中間部に前記支持脚が遊通する係合孔を有し、上向回動したとき、前記係合孔における遊端側の縁と基端側の縁とが、前記支持脚に係合して、前記支持脚の相対的な上方への移動を阻止し、下向回動したとき、前記支持脚との係合が解除されて、前記支持脚の上下方向の移動を許容するようにした傾斜板と、
前記台車に設けられ、前記傾斜板を上向き回動する方向に付勢する付勢手段
とを備えるものとした請求項１記載の汚物処理槽搬送車。
【請求項３】
位置決め手段を、台車の後端一側部に後方に向けて突設され、かつ内側面がベースの側面に当接することにより、台車側ガイドレールの後端がベース側ガイドレールの前端と左右方向において整合するものとした請求項１または２に記載の汚物処理槽搬送車。
【請求項４】
台車側ガイドレールを、ローラーコンベヤとした請求項１〜３のいずれかに記載の汚物処理槽搬送車。
【発明の詳細な説明】
【技術分野】
【０００１】
本発明は、仮設トイレ等における汚物処理装置から取り出した汚物処理装置を搬送する搬送車に関する。
【背景技術】
【０００２】
従来、土木作業現場や災害地等において、一時的に設置される仮設トイレには、分解促進物質と汚物とを攪拌するようにした汚物処理槽を、ベースに対して後方に引き出して、汚物と分解促進物質とを容易に交換できるようにした汚物処理装置を備えるものがある（例えば特許文献１参照）。
【先行技術文献】
【特許文献】
【０００３】
【特許文献１】特開２００５−２９６０９６
【発明の概要】
【発明が解決しようとする課題】
【０００４】
しかし、特許文献１に記載されている汚物処理装置は、汚物処理槽自体に回転軸を回転させる駆動装置が設けられており、メンテナンス作業において、汚物処理槽を引出す際に、メンテナンスの対象ではない駆動装置も同時に引出すことになるので、無駄なスペースと労力を消費し、作業効率が悪い。
また、汚物処理槽を、汚物処理装置から完全に取り外すことができず、また、その搬送手段もないので、その場でメンテナンス作業を行う必要があり、作業効率が悪い。
【０００５】
そこで、各所に設置した仮設トイレにおける汚物処理装置から、汚物処理槽のみを取り出して、トラック等により搬送して、工場に回収し、工場において清掃等のメンテナンス作業を一括して行うことが考えられているが、その際、仮設トイレが、トラック等が立ち入ることができない山奥等や狭小地等の特殊な環境に設置されている場合、汚物処理槽をトラックまで移動するのが困難であり、結果的にその場でメンテナンス作業を行わなければならないことがある。
【０００６】
本発明は、従来の技術が有する上記のような問題点に鑑み、汚物処理装置から汚物処理槽のみを容易に取り出し、搬送することができるようにしたコンパクトな搬送車を提供することにより、特殊な環境に設置された汚物処理装置の汚物処理槽を、適切な場所まで簡単に搬送できるようにすることを目的としている。
【課題を解決するための手段】
【０００７】
本発明によると、上記課題は、次のようにして解決される。
(１)  ベースに設けた前後方向を向く左右１対のベース側ガイドレールに沿って、汚物処理槽をベースから前方に引出し可能とした汚物処理装置より、前記汚物処理槽を移載して、搬送する汚物処理槽搬送車であって、車輪を有する台車と、前記台車を汚物処理装置の前方における正規の移載位置に位置させたとき、汚物処理装置における前記各ベース側ガイドレールの前端より一直線状に整合するようにして、前記台車に設けられた左右１対の台車側ガイドレールと、前記台車側ガイドレールの後端部の高さが、前記ベース側ガイドレールの前端部の高さと一致するべく、前記台車の後端部の高さを調整する高さ調整手段と、前記台車の後端部に設けられ、前記ベースの一部に左右方向より当接することにより、前記台車側ガイドレールの後端部が、前記ベース側ガイドレールの前端部と左右方向に整合するべく、前記台車の後端部を、前記ベースの前端部に対して左右方向に位置決めする位置決め手段とを備えるものとする。
【０００８】
このような構成とすると、台車の後端部を、位置決め手段により位置決めし、かつ高さ調整手段により、台車側ガイドレールの高さをベース側のガイドレールの高さに合わせることにより、汚物処理槽搬送車を汚物処理槽を移載するための正規位置に位置することができ、その状態で、汚物処理槽を、ベース側ガイドレールから台車側ガイドレールに沿って、台車側へ簡単に移載することができる。
したがって、汚物処理装置が山奥や山奥や狭小地等のトラックが立ち入ることが出来ない場所に設置されている場合でも、その設置場所からトラックまで、汚物処理槽を簡単に搬送することができる。
また、汚物処理槽搬送車を必要最小限の部材により、コンパクトに構成することができる。
【０００９】
(２)  上記(１)項において、台車を、左右１対の車輪を有する２輪車とし、かつ高さ調整手段を、前記台車の側面に固着したブラケットと、前記ブラケットに上下動可能として装着され、かつ下端に接地部材を有する支持脚と、上下方向に回動可能として、一端が前記ブラケットに係止され、かつ中間部に前記支持脚が遊通する係合孔を有し、上向回動したとき、前記係合孔における遊端側の縁と基端側の縁とが、前記支持脚に係合して、前記支持脚の相対的な上方への移動を阻止し、下向回動したとき、前記支持脚との係合が解除されて、前記支持脚の上下方向の移動を許容するようにした傾斜板と、前記台車に設けられ、前記傾斜板を上向き回動する方向に付勢する付勢手段とを備えるものとする。
【００１０】
このような構成とすると、台車を２輪車としたことにより、汚物処理槽搬送車の構成を簡素化できるとともに、容易に方向転換ができ、小回りがよく牽引できるため、搬出入の経路が狭かったり、通路などが入り組んだ場所としても、汚物処理槽の搬出入が可能となる。
また、高さ調整手段を上記のような構成としてあるので、一端が係止された傾斜板が付勢手段により上方へ斜めに押し上げられた状態にあると、係合孔の対向縁に支持脚が係止されて、上下方向の移動が阻止され、傾斜板の遊端部側を押し下げると、係合孔の支持脚への係合状態が解除され、それによって支持脚の上下方向の移動が可能となる。
したがって、高さ調整の際に、付勢手段の付勢力に抗して、傾斜板の遊端部を押し下げて、支持脚を上下方向に移動させ、所望の位置で遊端部の押し下げを止めることにより、付勢手段の付勢力により、傾斜板が上向き傾斜させられて、支持脚の位置を固定することができ、足先等により、高さ調整手段を簡単に操作することができ、煩わしい係合または係合の解除の操作を必要としない。
【００１１】
(３)  上記(１)または(２)項において、位置決め手段を、台車の後端一側部に後方に向けて突設され、かつ内側面がベースの側面に当接することにより、台車側ガイドレールの後端がベース側ガイドレールの前端と左右方向において整合するものとする。
【００１２】
このような構成とすると、位置決め手段を、突片等の簡単な構造のものとすることができるとともに、位置決め手段の内側面をベースの側面に当接させるだけで、台車を、台車側ガイドレールの後端がベース側ガイドレールの前端と左右方向において整合するように、簡単に位置決めすることができる。
【００１３】
(４)  上記(１)〜(３)項において、台車側ガイドレールを、ローラーコンベヤとする。
【００１４】
このような構成とすると、汚物処理槽を台車に軽力で移載できる。
【発明の効果】
【００１５】
本発明によると、汚物処理装置から汚物処理槽のみを容易に取り出し、搬送することができるようにしたコンパクトな搬送車を提供することにより、特殊な環境に設置された汚物処理装置の汚物処理槽を、適切な場所まで簡単に搬送できる。
【図面の簡単な説明】
【００１６】
【図１】本願発明の汚物処理装置を備える仮設トイレの斜視図である。
【図２】汚物処理装置より汚物処理槽を前方に引き出した状態の斜視図である。
【図３】汚物処理装置の平面図である。
【図４】図３のIV−IV線断面図である。
【図５】回転軸の一端部の斜視図である。
【図６】軸受装置の分解斜視図である。
【図７】回転軸の軸受部分を、回転軸の中心軸線を含む水平面で切断した横断平面図である。
【図８】汚物処理槽の軸受部分の拡大斜視図である。
【図９】カップリングと回転軸との分解斜視図である。
【図１０】汚物処理装置に、汚物処理槽搬送車を接続したときの斜視図である。
【図１１】汚物処理槽搬送車の高さ調整手段の斜視図である。
【発明を実施するための形態】
【００１７】
次に、本発明の一実施形態を、添付図面を参照して説明する。
図１に示すように、仮設トイレ１は、汚物処理装置２上に、床板３、便器４、前面に扉５を備える外装体６等からなるトイレユニット７を装着したものよりなっている。
なお、トイレユニット７は、本発明には直接関係しないので、それについての詳細な説明は省略する。
【００１８】
図１〜図４に示すように、汚物処理装置２は、底板８と、両側板９、９と、後面板１０とを有し、上面と前面とが開放するベースである筐体１１を備えている。
【００１９】
底板８の前端両側部には、図示しないフォークリフトのフォークを挿入しうる受孔８ａ、８ａが設けられている。
筐体１１内における後面板１０より若干前方には、左右方向を向く仕切板１２が設けられている。
【００２０】
図１に示すように、筐体１１の前面には、ステップ１３を備える前面板１４が、その両側部を複数のボルト１５をもって両側板９、９の前端面に固着することにより、着脱可能として装着されている。この前面板１４は、後述する汚物処理槽が前方に移動するのを阻止する役目をしている。
【００２１】
図２に示すように、筐体１１における仕切板１２より前方において、両側板９、９の内側面上部には、前後方向を向く左右１対のローラーコンベヤ１６、１６が設けられている。各ローラーコンベヤ１６は、各側板９の内面に固着した前後方向を向く上向コ字状の枠材１６ａ内に、複数のローラ１６ｂを、その一部が上方に突出するようにして、前後に並べて、左右方向を向く軸１６ｃをもって枢支したものよりなっている。
【００２２】
筐体１１における仕切板１２より前方の画室内には、汚物処理槽１７が、左右のローラーコンベヤ１６、１６に沿って、前方に引き出し可能として、着脱自在に設けられている。
汚物処理槽１７は、前後方向を向く２個の上向半円筒体を左右に接合した形状とした正面視上向Ｂ型の底板１８と、両側板１９、１９と、前面板２０と、後面板２１とからなる、上面が開放した箱状をなし、両側板１９、１９の上端に設けた外向鍔部２２、２２を、左右のローラーコンベヤ１６、１６上に載置することにより、前後方向に軽力で移動させうるようになっている。
【００２３】
汚物処理槽１７内には、前後方向を向く左右１対の回転軸２３、２３が、前面板２０と後面板２１とに設けた軸受装置２４をもって、汚物処理槽１７より前後対称をなして前後に突出するようにして、回転自在に設けられている。
【００２４】
各回転軸２３は、図５に示すように、六角軸その他の非円形断面のもので、その両端に尖先部２３ａを形成するとともに、軸受装置２４を挿通するべき部分に、小径軸部２３ｂを形成して構成されている。
【００２５】
図６〜図８に示すように、軸受装置２４は、外面が欠球面２５ａをなし、かつ中央孔２５ｂに回転軸２３の小径軸部２３ｂが回転自在に軸支されるようにした球面軸受部材２５と、球面軸受部材２５が全方向に相対回転可能として嵌合された内面２６ａを有し、かつ円筒形の外周部に拡径鍔部２６ｂを有する軸受ハウジング２６と、軸受ハウジング２６の拡径鍔部２６ｂが段孔２７ａに嵌合し、かつ軸受ハウジング２６の他部が、段孔２７ａの中央に形成された中央孔２７ｂに嵌合するようにして、軸受ハウジング２６を前後より挟む２枚の取付板２７、２７と、両取付板２７、２７を前後より締着する締着手段であるボルト２８とナット２９とからなっている。
【００２６】
球面軸受部材２５は、中心軸線を含む平面で２分割された２個の分割片２５Ａ、２５Ｂからなり、両分割片２５Ａ、２５Ｂにより、回転軸２３の小径軸部２３ｂを両側方より挟んで合体させることにより、中央孔２５ｂで回転軸２３の小径軸部２３ｂを回転自在に軸受するようになっている。
【００２７】
軸受ハウジング２６も、中心軸線を含む平面で２分割された２個の分割片２６Ａ、２６Ｂからなり、両分割片２６Ａ、２６Ｂにより、合体した球面軸受部材２５を両側方より挟んで合体させることにより、内面２６ａで球面軸受部材２５を全方向に回転自在に軸受するようになっている。
【００２８】
各回転軸２３は、図８に示すように、前後部の軸受装置２４、２４とともに、汚物処理槽１７から上方に取り外すことができるようになっている。
そのために、汚物処理槽１７の前面板２０と後面板２１の両側部には、上方に開口するＵ字状の切込孔３０が設けられており、この切込孔３０を通して、回転軸２３を、軸受装置２４およびそれを取り付けた取付板３１とともに、上方に離脱したり、正規の装着位置まで下降させて、軸受装置２４および取付板３１を、上記と同様のボルト２８とナット２９をもって、前面板２０および後面板２１に固着し、回転軸２３を汚物処理槽１７に取り付けたりしうるようになっている。
【００２９】
なお、取付板３１を、軸受装置２４から切り離して、正規の位置に装着した軸受装置２４を上方に移動しないようにするための押え板として、前面板２０または後面板２１に着脱自在に取り付けるようにしてもよい。
【００３０】
図２〜図４に示すように、汚物処理槽１７内における各回転軸２３には、複数の攪拌翼３２が、回転軸２３の軸線方向に適宜の間隔を置いて取り付けられており、左右の回転軸２３、２３を、後述する駆動手段により、互いに逆方向に回転させることによって、各回転軸２３に取り付けられた攪拌翼３２により、汚物処理槽１７内に収容した分解促進物質３３と、便器４より落下した汚物(図示略)とを攪拌して、汚物を分解処理しうるようになっている。
【００３１】
分解促進物質３３としては、微生物が生息するおが屑、もみ殻、杉チップ等のいわゆるバイオチップを使用するのが好ましい。
【００３２】
筐体１１における後面板１０と仕切板１２と両側板９、９とによって囲まれた部屋の底板８上には、駆動手段としての左右１対のギヤードモータ３４、３４が、左右の回転軸２３、２３の左右間隔と等間隔をもって、左右に並べて設けられている。
【００３３】
各ギヤードモータ３４の前方を向く出力部材である出力軸３５の前端部には、トーションダンパ３６を介して、カップリング３７が接続されている。
トーションダンパ３６としては、入力軸３６ａと出力軸３６ｂとが、タイヤ状の弾性体３６ｃを介して接続され、出力軸３６ｂが入力軸３６ａに対して、所要量だけ偏心および偏角しうるようにした公知のものを用いるのが好ましい。
【００３４】
カップリング３７は、トーションダンパ３６の出力軸３６ｂと一体的に形成されており、この例では、回転軸２３のいずれの端部もが相対回転不能として嵌合しうるようにした公知の１２角ソケットとしてあるが、回転軸２３の端部と補形をなす六角孔、またはその他の非円形孔を設けたものとすることもできる。
【００３５】
左右のトーションダンパ３６、３６およびカップリング３７、３７は、仕切板１２に設けた左右１対の通孔３８、３８より前方に臨むように、または通孔３８、３８を通って仕切板１２より前方に突出するように配設され、汚物処理槽１７を、図３および図４に示すような筐体１１における正規の装着位置に装着したとき、左右の回転軸２３、２３の後端部が、相対回転不能として嵌合するようにしてある(図９参照)。
また、左右の回転軸２３、２３は、汚物処理槽１７の前後の端部より同様に突出させてあるので、汚物処理槽１７の前後の向きを反転させて筐体１１の正規位置に装着したときにも、左右の回転軸２３、２３の端部は、カップリング３７、３７に嵌合することができる。
【００３６】
筐体１１における底板８の上面中央部には、汚物処理槽１７を底面より加温する前後方向を向くヒータ３９が設けられ、また、仕切板１２の左右方向の中央部には、排気孔４０と送気孔４１とが、上下に並べて設けられている。
仕切板１２における送気孔４１の後面には、ギヤードモータ３４、３４が設けられた部屋内の空気を、送気孔４１を通って、ヒータ３９に向かって送気する送気ファン４２が設けられており、ギヤードモータ３４、３４の作動にて暖められた空気は、図３および図４に矢印で示すように、送気ファン４２により送気孔４１を通って、ヒータ３９部分に送られ、ヒータ３９によってさらに熱せられた後、汚物処理槽１７の前面板２０と、筐体１１の前面を塞ぐ前面板１４との間の空間を通って上昇し、さらに、床板３の下面に沿って後方に反転し、汚物処理槽１７内の加温された分解促進物質３３から発生する湿気とともに、汚物処理槽１７の後方の排気孔４０から、その後部に接続されたダクト４３を通って、筐体１１の後部上方に配設した補助室４４(図１参照)内に設けた除湿装置(図示略)に送られるようになっている。
【００３７】
このように、ヒータ３９により加温された環境下で、汚物と分解促進物質３３とが攪拌されることにより、汚物の分解処理が促進される。
【００３８】
一定の使用期間経過後、または処理限界を超えて使用したとき等には、図１に示すボルト１５を外して、前面板１４を、ステップ１３とともに、筐体１１から外し、それによって開いた筐体１１の前端開口部に、図１０に示す荷車状の汚物処理槽搬送車４５を接続し、その状態で、汚物処理槽１７を前方に引き出すのと同時に、汚物処理槽搬送車４５に移載し、その後、汚物処理槽搬送車４５を、予め待機しておいたトラック等の場所まで移動させてトラック等に移載する。
【００３９】
その後、予め用意しておいた、新しい分解促進物質３３を収容した交換用の汚物処理槽１７を、上記の、または上記のものとは別の汚物処理槽搬送車４５に載置して、空になっている上記汚物処理装置２まで運び、その筐体１１の前端開口部に汚物処理槽搬送車４５を、上記と同様に接続し、交換用の汚物処理槽１７を、汚物処理槽搬送車４５から筐体１１側へ移載する。
【００４０】
交換用の汚物処理槽１７が、正規の装着位置まで後方に押し込まれる直前に、各回転軸２３の後端の尖先部２３ａがカップリング３７に進入し、尖先部２３ａの自動求心作用により、各回転軸２３の後端部は、カップリング３７と相対回転不能として、確実に接続される。
このときの各回転軸２３の後端部とカップリング３７とのわずかな偏心や偏角は、トーションダンパ３６により吸収されるので、回転軸２３の後端部とカップリング３７との接続は、円滑かつ迅速に行われる。
【００４１】
その後、ステップ１３とともに、前面板１４をボルト１５によって筐体１１の前面に固定すれば、メンテナンス作業が終了する。
このように、前面板１４を外して、使用済みの汚物処理槽１７と交換用の汚物処理槽１７とを入れ替えるだけで、メンテナンス作業を簡単かつ迅速に行うことができるので、辺境地や山間部等に設置した仮設トイレ等に最適である。
【００４２】
使用済みの汚物処理槽１７は、トラック等により工場等に持ち帰り、各回転軸２３を、攪拌翼３２や軸受装置２４等とともに、上述したようにして、汚物処理槽１７から外し、その後に汚物処理槽１７内に残った汚物と分解促進物質３３とを、簡単に取り出すことができる。
このような作業を、現場において行う必要がないので、メンテナンス作業が著しく軽減される。
【００４３】
次に、汚物処理槽搬送車４５の詳細について説明する。
図１０に示すように、この汚物処理槽搬送車４５は、左右１対の車輪４６、４６を有する台車４７と、台車４７を汚物処理装置２の前方における正規の移載位置に位置させたとき、汚物処理装置２における左右のローラーコンベヤ１６、１６の前端より一直線状に整合するようにして、台車４７に設けられた左右１対のローラーコンベヤ４８、４８と、ローラーコンベヤ４８、４８の後端部の高さが、ローラーコンベヤ１６、１６の前端部の高さと一致するべく、台車４７の後端部の高さを調整する高さ調整手段４９と、台車４７の後端部に設けられ、筐体１１の左右の側板９、９のいずれか一方の前端部側面に左右方向より当接することにより、ローラーコンベヤ４８、４８の後端部が、ローラーコンベヤ１６、１６の前端部と左右方向に整合するべく、台車４７の後端部を、筐体１１の前端部に対して左右方向に位置決めする位置決め手段５０とを備えている。
【００４４】
各ローラーコンベヤ４８は、ローラーコンベヤ１６と同一構造のものとしてあるが、両ローラーコンベヤ１６、４８を、ともにアングル材等によるガイドレールとし、汚物処理槽１７の両外向鍔部２２を、両ガイドレールに沿って、直接前後方向に摺動させるようにするか、または、外向鍔部２２に複数のローラまたは車輪を設けて、それらを両ガイドレールに沿って転動させるようにしてもよい。
【００４５】
高さ調整手段４９は、図１０および図１１に示すように、台車４７の前面一側部に固着した側面視前向コ字状のブラケット５１と、このブラケット５１の上片５１ａと下片５１ｂとに設けた上下１対の挿通孔５２、５２に、上下動可能として挿通され、かつ下端に接地部材５３ａを有する支持脚５３と、ブラケット５１における上下方向を向く基片５１ｃの中間部前面に設けられた左右方向を向く突条５１ｄの下縁に後端部が係止され、かつ中間部に支持脚５３が遊通する係合孔５４が設けられ、前端が上向回動したとき、係合孔５４における遊端側の縁と基端側の縁とが、支持脚５３に係合して、支持脚５３の相対的な上方への移動を阻止し、前端が下向回動したとき、支持脚５３との係合が解除されて、支持脚の上下方向の移動を許容するようにした傾斜板５５と、支持脚５３に外嵌するようにして、傾斜板５５の下面とブラケット５１の下片５１ｂの上面との間に縮設され、かつ傾斜板５５を上向き回動する方向に付勢する付勢手段である圧縮コイルばね５６とを備えている。
【００４６】
圧縮コイルばね５６の付勢力に抗して、傾斜板５５の前端部を、足先等により押し下げて、傾斜板５５をほぼ水平としておくことにより、台車４７の前端部の高さを自由に変更することができ、台車４７の後端部において、ローラーコンベヤ４８、４８の後端部の高さが、ローラーコンベヤ１６、１６の前端部の高さと一致したときに、傾斜板５５の前端部から足先等を離すと、圧縮コイルばね５６の付勢力により、傾斜板５５は、上向回動して、係合孔５４における遊端側の縁と基端側の縁とが、支持脚５３に係合して、支持脚５３の相対的な上方への移動が阻止され、台車４７の前端部は、支持脚５３によって、それ以上下降しないように保持される。
【００４７】
位置決め手段５０は、この例では、台車４７の後端一側部に後方に向けて突設した単なる突片５７としてあり、この突片５７の内側面が、筐体１１の左右の側板９、９のいずれか一方の前端部外側面に左右方向より当接することにより、ローラーコンベヤ４８、４８の後端部が、ローラーコンベヤ１６、１６の前端部と左右方向に整合するようにしてある。
【００４８】
したがって、この突片５７を筐体１１の左右の側板９、９のいずれか一方の前端部外側面に当接させ、上記高さ調整手段４９により、台車４７の前端部の高さを調整することにより、台車のローラーコンベヤ４８、４８を、汚物処理装置２における左右のローラーコンベヤ１６、１６と一直線状に整合させた状態で、汚物処理槽１７を、それらのローラーコンベヤ１６、１６、４８、４８に沿って、筐体１１側から台車４７側へ、またはその逆方向へ、軽力で前後方向に移動させることができる。
【００４９】
左右のローラーコンベヤ４８、４８の前端部上面には、汚物処理槽１７を台車４７の正規の装着位置まで前方に移動させたとき、汚物処理槽１７の外向き鍔部２２、２２の前端が当接して、汚物処理槽１７のそれ以上の前方への移動を阻止するようにしたストッパ５８、５８が設けられている。
【００５０】
なお、図示は省略したが、台車４７の後端部には、汚物処理槽１７を台車４７の正規の装着位置に位置させた状態で、汚物処理槽１７の後方への脱落を防止するためのゲート手段を、着脱自在に設けてある。
さらに、台車４７の前端には、平面視後向コ字状の引き手が設けられている。
【００５１】
本発明は、上記実施形態のみに限定されるものではなく、特許請求の範囲を逸脱することなく、例えば、次のような幾多の変形した態様での実施が可能である。
(Ａ)  駆動手段として、単一のモータを使用し、その出力軸と、左右のトーションダンパ３６の入力軸３６ａ、３６ａとを、歯車列、またはベルトとプーリ、その他の連動手段を介して連係し、両トーションダンパ３６が、互いに同期して、逆方向に回転させられるようにする。
(Ｂ)  汚物処理槽１７に、単一の、または３個以上の回転軸２３を配設し、それに合わせて、カップリング３７等の数も増減させる。
(Ｃ)  台車４７を四輪車とする。
【符号の説明】
【００５２】
１    仮設トイレ
２    汚物処理装置
３    床板
４    便器
５    扉
６    外装体
７    トイレユニット
８    底板
８ａ  受孔
９    側板
１０    後面板
１１    筐体(ベース)
１２    仕切板
１３    ステップ
１４    前面板
１５    ボルト
１６    ローラーコンベヤ(ベース側ガイドレール)
１６ａ  枠材
１６ｂ  ローラ
１６ｃ  軸
１７    汚物処理槽
１８    底板
１９    側板
２０    前面板
２１    後面板
２２    外向鍔部
２３    回転軸
２３ａ  尖先部
２３ｂ  小径軸部
２４    軸受装置
２５    球面軸受部材
２５Ａ、２５Ｂ  分割片
２５ａ  欠球面
２５ｂ  中央孔
２６    軸受ハウジング
２６Ａ、２６Ｂ  分割片
２６ａ  内面
２６ｂ  拡径鍔部
２７    取付板
２７ａ  段孔
２７ｂ  中央孔
２８    ボルト
２９    ナット
３０    切込孔
３１    取付板
３２    攪拌翼
３３    分解促進物質
３４    ギヤードモータ（駆動手段）
３５    出力軸
３６    トーションダンパ
３６ａ  入力軸
３６ｂ  出力軸
３６ｃ  弾性体
３７    カップリング
３８    通孔
３９    ヒータ
４０    排気孔
４１    送気孔
４２    送気ファン
４３    ダクト
４４    補助室
４５    汚物処理槽搬送車
４６    車輪
４７    台車
４８    ローラーコンベヤ（台車側ガイドレール）
４９    高さ調整手段
５０    位置決め手段
５１    ブラケット
５１ａ  上片
５１ｂ  下片
５１ｃ  基片
５１ｄ  突条
５２    挿通孔
５３    支持脚
５３ａ  接地部材
５４    係合孔
５５    傾斜板
５６    圧縮コイルばね（付勢手段）
５７    突片
５８    ストッパ
５９    引き手
【図１】
0005385045.tif 000002
【図２】
0005385045.tif 000003
【図３】
0005385045.tif 000004
【図４】
0005385045.tif 000005
【図５】
0005385045.tif 000006
【図６】
0005385045.tif 000007
【図７】
0005385045.tif 000008
【図８】
0005385045.tif 000009
【図９】
0005385045.tif 000010
【図１０】
0005385045.tif 000011
【図１１】
0005385045.tif 000012